(57)【特許請求の範囲】
【請求項１】
送受信機と、前記送受信機に連結されたプロセッサとを備える無線通信装置であって、
前記プロセッサは、前記無線通信装置にて受信された単一の制御チャネル要素の復号を試みるように構成され、
前記プロセッサは、復号の前記試みが成功したか判定するように構成され、
前記プロセッサは、復号の前記試みが失敗したときには、互いに結合された複数の制御チャネル要素の復号を試みるように構成され、
前記互いに結合された複数の制御チャネル要素は、共通の送信時間間隔で受信され、
前記プロセッサは前記単一の制御チャネル要素を、他の１つの制御チャネル要素に結合するように構成され、前記単一の制御チャネル要素と前記他の１つの制御チャネル要素とは、前記互いに結合された複数の制御チャネル要素を構成し、
前記単一の制御チャネル要素は、複数の副搬送波の第１セットを含み、
前記他の制御チャネル要素は、複数の副搬送波の第２セットを含み、
それぞれ前記制御チャネル要素は、単一の無線通信装置にのみ宛てられた無線リソース割当情報のみを含む、
無線通信装置。
【請求項２】
前記プロセッサは、前記互いに結合された複数の制御チャネル要素の復号が成功したか判定するように構成され、
前記プロセッサは、前記単一の制御チャネル要素と、前記他の１つの制御チャネル要素との復号の試みが失敗したときには、前記単一の制御チャネル要素を、他の２つの制御チャネル要素に結合するように構成され、
前記プロセッサは、前記他の２つの制御チャネル要素に結合された前記単一の制御チャネル要素の復号を試みるように構成される、
請求項１記載の無線通信装置。
【請求項３】
前記プロセッサは、前記互いに結合された複数の制御チャネル要素を復号する前記試みが成功した場合に、
前記互いに結合された複数の制御チャネル要素から前記無線リソース割当情報を得るように構成される、
請求項１記載の無線通信装置。
【請求項４】
前記プロセッサは、前記単一の制御チャネル要素の復号の前記試みが成功したかを、復号後の前記単一の制御チャネル要素で周期冗長検査することで判定するように構成される、
請求項１記載の無線通信装置。
【請求項５】
送受信機と、前記送受信機に連結されたプロセッサとを備える無線通信装置であって、
互いに結合された少なくとも２つの制御チャネル要素が、前記無線通信装置にて共通の送信時間間隔で受信され、
前記プロセッサは、前記互いに結合された少なくとも２つの制御チャネル要素の復号を試みるように構成され、
前記プロセッサは、前記互いに結合された少なくとも２つの制御チャネル要素の復号の前記試みが失敗したときには、前記少なくとも２つの制御チャネル要素のうちの単一の制御チャネル要素を復号することを試みるように構成され、
前記少なくとも２つの制御チャネル要素のうちの単一の制御チャネル要素は、複数の副搬送波の第１セットを含み、
前記少なくとも２つの制御チャネル要素のうちの他の制御チャネル要素は、複数の副搬送波の第２セットを含み、
それぞれ前記制御チャネル要素は、単一の無線通信装置にのみ宛てられた無線リソース割当情報のみを含む、
無線通信装置。
【請求項６】
前記プロセッサは、前記単一の制御チャネル要素を復号する前記試みが成功した場合に、
前記単一の制御チャネル要素から無線リソース割当情報を得るように構成される、
請求項５記載の無線通信装置。
【請求項７】
前記少なくとも２つの制御チャネル要素は、複合制御チャネルを構成する、
請求項５記載の無線通信装置。
【請求項８】
前記プロセッサは、前記互いに結合された少なくとも２つの制御チャネル要素の復号の前記試みが成功したかを、復号後の前記互いに結合された少なくとも２つの制御チャネル要素で周期冗長検査することで判定するように構成される、
請求項５記載の無線通信装置。
【発明の詳細な説明】
【技術分野】
【０００１】
本発明は、概して無線通信に関する。特にセルラ通信ネットワーク、それに対応するエンティティおよび方法などの無線通信システムにおける、共有チャネルの制御チャネル信号方式に関する。
【背景技術】
【０００２】
ＵＭＴＳ陸上無線接続（ＵＴＲＡ：ＵＭＴＳ  Ｔｅｒｒｅｓｔｒｉａｌ  Ｒａｄｉｏ  Ａｃｃｅｓｓ）およびＵＴＲＡネットワーク（ＵＴＲＡＮ）仕様のＬＴＥ（Ｌｏｎｇ  Ｔｅｒｍ  Ｅｖｏｌｕｔｉｏｎ）におけるダウンリンク・データ送信をスケジューリングする制御チャネル信号方式の、個別および結合符号化に加えて、時分割多重化（ＴＤＭ）および周波数分割多重化（ＦＤＭ）方法が、これらのハイブリッド方式を含めて提案されている。制御チャネル信号方式のＴＤＭおよびＦＤＭ伝送では、ダウンリンクおよびアップリンク割当の制御情報は、ダウンリンク・フレームの最初の幾つかのシンボル上で伝送するか、またはフレームの全長にわたって拡散できる。フレーム期間は約０．５ｍｓであるが、別の期間も可能である。
【０００３】
当業者であれば、下記の詳細な説明と添付の図面とを注意深く考察することによって、本開示の種々の態様、特徴および利点をよりよく理解できるだろう。これらの図面は見やすくするために簡略化されている場合があり、必ずしも正確に縮尺したものではない。
【先行技術文献】
【特許文献】
【０００４】
【特許文献１】国際公開第２００５／０５０８５２号
【発明の概要】
【発明が解決しようとする課題】
【０００５】
リソースブロックあたりの過剰な容量の形態の非効率性を、改善すること。
【課題を解決するための手段】
【０００６】
一般に、無線フレームを構成する異なるフレームは、無線リソース割当のために、対応する制御チャネルの様々な部分を割振ることができる。一実施態様では、無線通信装置は、制御チャネルと、フレーム内に埋込まれたビットシーケンスとを含む送信時間間隔に対応するフレームを受信できる、受信機を含む。受信機に通信可能に結合された制御装置は、対応するビットシーケンスが受信フレーム内のどの場所に埋込まれているかに基づき、無線リソース割当のための制御チャネルの一部を判定するように構成され、無線リソース割当のための制御チャネルの一部は、制御チャネル全体よりも小さくてもよい。
【０００７】
図１の遠隔ユニット１０３，１１０のうちの１つのような無線通信装置は、少なくとも２つの複数のフレームを受信する。それぞれフレームは、少なくとも２つの制御チャネル要素を有し、それぞれフレームは、フレーム内に埋込まれたビットシーケンスを含む。一実施形態では、無線通信装置は、対応するビットシーケンスがフレーム内のどの場所に埋込まれているかに基づき、それぞれフレーム内への無線リソース割当のための制御チャネルの一部を判定する。一般に、無線リソース割当のための制御チャネルの一部は、制御チャネル全体よりも小さくてもよい。それぞれフレームは、対応するビットシーケンスがフレーム内のどの場所に埋込まれているかに基づき、無線リソース割当のための制御チャネルの様々な部分を使用できる。
【０００８】
幾つかの例では、複合制御チャネルの全部の制御チャネル要素は、制御チャネル情報の通信を行う。この特定の実施形態では、制御チャネル要素数情報、たとえばフレーム内に埋込まれたビットシーケンスが存在しないことは、無線リソース割当のために、複合制御チャネル全体が使用されていることを示す。たとえば制御チャネル要素数情報が無い場合、遠隔ユニット１０３，１１０は、制御チャネル要素のデフォルト数が、無線リソース割当のために使用されると考えることができる。
【図面の簡単な説明】
【０００９】
【図１】無線通信システムを示す図。
【図２】複数の制御チャネル要素を有する複合制御チャネルを含む、無線フレームの図。
【図３】様々なタイプの制御チャネル要素を有する、複合制御チャネルの図。
【図４】フローチャート。
【図５】別のフローチャート。
【発明を実施するための形態】
【００１０】
図１は、無線通信システム１００を示す。無線通信システム１００は、地理的領域にわたって分散されたネットワークを形成するセルを担当する複数の基地ユニット１０１，１０２を含む。基地ユニット１０１，１０２は、アクセスポイント、アクセス端末、ノード基地、または当技術分野で公知の類似の用語で呼ぶことができる。１つまたは複数の基地ユニット１０１および１０２は、担当領域またはセル内、またはそのセクタ内の幾つかの遠隔ユニット１０３および１１０を担当する。また遠隔ユニット１０３，１１０は、加入者ユニット、移動体ユニット、ユーザ、端末、加入者ステーション、ユーザ機器（ＵＥ）、ユーザ端末または当技術分野で公知の他の用語で呼ぶことができる。ネットワーク基地ユニット１０１，１０２は、遠隔ユニット１０３，１１０と通信して端末が利用可能な無線リソースを用いてデータ送受信を実行するように、スケジュールを組むなどの機能を実行する。また、無線ネットワークは、一般に当業者であれば公知のように、他のネットワーク・エンティティによって制御可能なデータ・ルーティング、参加制御、加入者課金、端末認証などの管理機能を含む。
【００１１】
基地ユニット１０１および１０２は、同じリソース（時間および／または周波数）の少なくとも一部に関して担当する遠隔ユニット１０３，１１０にダウンリンク通信信号１０４および１０５を送信する。遠隔ユニット１０３および１１０はアップリンク通信信号１０６および１１３を介して１つまたは複数の基地ユニット１０１および１０２と通信する。この１つまたは複数の基地ユニット１０１，１０２は、遠隔ユニット１０３，１１０を担当する１つまたは複数の送信機および１つまたは複数の受信機を、含むことができる。基地ユニット１０１，１０２の送信機の数は、たとえば基地ユニット１０１，１０２の送信アンテナ１０９の数に関連していてもよい。適応ビーム形成、送信ダイバーシティ、送信ＳＤＭＡ、および多重ストリーム送信などの種々の高度通信モードを提供するように複数のアンテナでそれぞれセクタを担当する場合、複数の基地ユニット１０１，１０２を配備できる。セクタ内のこれらの基地ユニット１０１，１０２は、高密度に集積でき、種々のハードウェアおよびソフトウェア構成要素を共用できる。たとえばあるセルを共に担当するために同じ場所にある全部の基地ユニット１０１，１０２は、従来基地局として知られる存在を構成できる。遠隔ユニット１０３，１１０はまた、１つまたは複数の送信機と、１つまたは複数の受信機とを含むことができる。送信機の数は、遠隔ユニット１０３，１１０の送信アンテナの数に関連していてもよい。
【００１２】
一実施形態では、通信システムは、インタリーブＦＤＭＡ（ＩＦＤＭＡ）、局所化されたＦＤＭＡ（ＬＦＤＭＡ）、ＩＦＤＭＡまたはＬＦＤＭＡ機能を含むＤＦＴ拡散ＯＦＤＭ（ＤＦＴ−ＳＯＦＤＭ）などのＯＦＤＭＡ、すなわち、アップリンク伝送用の次世代単一搬送波ベースのＦＤＭＡアーキテクチャを利用する。別の実施形態では、このアーキテクチャは、また、直接拡散ＣＤＭＡ（ＤＳ−ＣＤＭＡ）、多重搬送波ＣＤＭＡ（ＭＣ−ＣＤＭＡ）、多重搬送波直接拡散ＣＤＭＡ（ＭＣ−ＤＳ−ＣＤＭＡ）、一次元または二次元拡散機能を備えた直交周波数および符号分割多重化（ＯＦＣＤＭ）、またはより簡単な時分割および周波数分割多重化／多元接続技術を含むことができる。
【００１３】
一般に、たとえば図１のそれぞれ基地ユニット１０１および１０２にある無線通信ネットワーク・インフラストラクチャのスケジューリング・エンティティは、ネットワーク内の遠隔ユニット１０３，１１０に無線リソースを割振る、または割当てる。基地ユニット１０１，１０２はそれぞれ、リソースをスケジューリングし、対応する担当領域またはセルまたはセクタ内の遠隔ユニット１０３，１１０に割当てるスケジューラを含む。たとえばＯＦＤＭ方式および３ＧＰＰのＵＴＲＡ／ＵＴＲＡＮ研究項目の長期発展（Ｅｖｏｌｖｅｄ  ＵＴＲＡ／ＵＴＲＡＮ（ＥＵＴＲＡ／ＥＵＴＲＡＮ）としても公知である）に基づく多元接続方式では、周波数選択（ＦＳ）スケジューラを用いて時間および周波数次元でスケジューリングが実行される。幾つかの実施形態では、それぞれ遠隔ユニット１０３，１１０は、周波数帯域チャネル品質指標（ＣＱＩ）または他のメトリックをスケジューラに提供することによって、スケジューリングを使用可能にする。
【００１４】
ＯＦＤＭシステム、またはＤＦＴ−ＳＯＦＤＭおよびＩＦＤＭＡなどのＯＦＤＭ類似のシステムでは、リソース割当は、特定の基地ユニット１０１，１０２の情報をスケジューラが判定する一組の利用可能な副搬送波から、副搬送波のリソースにマッピングする周波数と時間割当である。この割当は、たとえばユーザ機器ＵＥからスケジューラへ報告される周波数選択的チャネル品質指標（ＣＱＩ）またはその他のメトリックに依存できる。副搬送波のリソースの部分によって異なるチャネル符号化速度および変調方式も、スケジューラによって判定され、報告されたチャネル品質指標ＣＱＩまたは他のメトリックに依存できる。符号分割多重化ネットワークでは、リソース割当は、特定の基地ユニット１０１，１０２の情報をスケジューラが判定する一組の利用可能な副搬送波から、副搬送波のリソースへマッピングする符号割当である。
【００１５】
図２は、無線フレームの一部を構成するフレーム２００を示す。無線フレームは、一般に連結したフレームの連続体を形成できる複数のフレームを含む。図２では、それぞれフレームは、少なくとも２つの制御チャネル要素を含む複合制御チャネル部２１０を含む。図２は、複数の制御チャネル要素２１２、２１４、２１６および２１８を含む複合制御チャネルを示す。制御チャネル要素は、それぞれＱＡＭシンボルなどの一連のシンボルに、論理制御チャネルの物理マッピングを提供する符号語を含む。制御チャネル要素は、一般に同じタイプではない。たとえば図２では、制御チャネル要素２１２および２１８は、サイズが異なる。制御チャネル要素は、また、アップリンクまたはダウンリンク割当用であり、異なった関連する情報ペイロードを有していてもよい。制御チャネル要素は、また、仕様の異なるバージョンに関連していてもよい。幾つかの実施形態では、複合制御チャネルは、制御チャネル要素とは別個のパイロットシンボルなどの参照シンボルを含む。参照シンボルは、通常、全部の遠隔ユニット１０３，１１０によって読取られる。
【００１６】
それぞれフレームは、送信時間間隔ＴＴＩに対応する。例示的な送信時間間隔ＴＴＩは、１ｍｓである。一実施形態では、単一の送信時間間隔ＴＴＩの長さは１ｍｓまたは２ｍｓであり、送信時間間隔ＴＴＩは、それぞれが０．５ｍｓの長さを有する２つのサブフレームにセグメント化される。しかし、上記構成は、リソースブロックＲＢの定義が拡張されて、リソースブロックＲＢが送信時間間隔ＴＴＩ期間を考慮せずに、送信時間間隔ＴＴＩの全長よりも延長されると自動的に定義されない限り、複数のリソースブロック、すなわち単一の０．５ｍｓのサブフレーム内のリソースブロックの数よりも多くのリソースブロックを扱う必要性を意味する。しかし、この結果、リソースブロックＲＢあたりの過剰な容量の形態の非効率性が、問題になる。リソースブロックＲＢが送信時間間隔ＴＴＩの長さを僅かに超えると定義された場合、送信時間間隔ＴＴＩを構成する複数のサブフレーム内のリソースブロックのそれぞれを個別に扱うことが可能になろう。従って、連結サブフレームで構成されたフレームまたは送信時間間隔ＴＴＩの場合に、リソース割当を伝える機構が必要である。更に、ユーザ機器ＵＥに供給される小さいパケットに割当てられるリソースを少なく、ユーザ機器ＵＥに供給される大きいパケットに割当てられるリソースを多くするといった個々のユーザ機器ＵＥの必要性に基づき、リソースを割当てるための機構が必要である。ＵＭＴＳ（ユニバーサル移動体通信システム）の場合、送信時間間隔ＴＴＩは、伝送またはトランスポート・ブロックが送信される時間の長さとして定義される。伝送ブロックまたはトランスポート・ブロックは、単一の周期冗長検査ＣＲＣで保護されるようにまとめて符号化されるデータのブロックで構成される。この例の場合、送信時間間隔ＴＴＩの別の定義は、制御チャネル信号方式の単一のインスタンスで制御される伝送の長さであってもよい。
【００１７】
一実施形態では、それぞれ制御チャネル要素は、図１の遠隔ユニット１０３または１１０のうちの１つのような単一の無線通信エンティティにのみ宛てられた符号語などの無線リソース割当情報のみを含む。無線リソース割当情報は、他の遠隔ユニット１０３，１１０固有の情報と、時間−周波数無線リソース割当とを含む。別の実施形態では、無線リソース割当情報は、変調、符号化速度、情報ブロックサイズ、アンテナモード指標、および他の情報を更に含むことができる。
【００１８】
一実施形態では、無線通信ネットワーク・インフラストラクチャ・エンティティ、たとえばスケジューラは、図１の遠隔ユニット１０３，１１０のうちの１つのような同じ無線通信エンティティに複数の制御チャネル要素を宛てることができる。より詳細には、制御チャネルは、複合制御チャネルの第１制御チャネル要素へのリソース割当を含む符号語の第１バージョンと、複合制御チャネルの第２制御チャネル要素へのリソース割当を含む符号語の第２バージョンとを含むことができ、符号語の第１バージョンと第２バージョンは、両方とも同じ移動体ユニットに宛てられる。一実施形態では、符号語の第１バージョンと第２バージョンは同じで、別の実施形態では、符号語の第１バージョンと第２バージョンは異なる。同じエンティティに宛てられた符号語が異なるか同じであるかは、宛先のエンティティが下記のように制御チャネル要素を結合する方法に影響する。それ故、無線通信ネットワーク・インフラストラクチャ・エンティティは、要素のそれぞれが同じエンティティに宛てられた対応する第１符号語バージョンと第２符号語バージョンを含む、少なくとも２つの制御チャネル要素を含む複合制御チャネルを送信する。幾つかの例では、無線ネットワーク・インフラストラクチャ・エンティティは、通常、エンティティのチャネル状態に基づき、エンティティに宛てられた単一の制御チャネル要素を含む複合制御チャネルを送信する。
【００１９】
複合制御チャネルが少なくとも２つの異なるタイプの無線リソース割当制御チャネル要素を含む複合制御チャネルを含む実施形態では、遠隔ユニット１０３，１１０は、一般に、複合制御チャネルの受信時に複合制御チャネルを構成する制御チャネル要素のタイプの数を判定する。一実施形態では、複合制御チャネルは、複合制御チャネルを構成するそれぞれタイプの制御チャネル要素のタイプ指標情報を含む。それ故、遠隔ユニット１０３，１１０は、タイプ指標情報に基づき、制御チャネル要素のタイプの数を判定できる。
【００２０】
図３で、無線フレーム３００は、第１制御チャネル要素タイプ３１２と、第２制御チャネル要素タイプ３１６とを含む複合制御チャネル３１０とを含む。第１制御チャネル要素タイプは、第１タイプの最後の制御チャネル要素に追加されたビットシーケンスなどの第１指標３１４によって、識別される。第２制御チャネル要素タイプは、第２タイプの最後の制御チャネル要素に追加された第２指標３１８によって、識別される。別の実施形態では、第１指標３１４および第２指標３１８が存在せず、制御チャネル要素タイプは、制御要素が成功裏に復号されてから判定される。たとえばタイプビットは、復号されたペイロード内のアップリンクまたはダウンリンク制御要素を示すことができる。制御要素は、カラーコードの周期冗長検査ＣＲＣまたは他の手段によって、単一のユーザ機器ＵＥに宛てることができる。本開示の別の態様によれば、遠隔ユニット１０３，１１０は、複合制御チャネルの少なくとも１つ、または少なくとも２つの制御チャネル要素を構成する制御チャネル要素の数を、判定する。
【００２１】
図３は、無線サブフレームの制御チャネル要素の物理的レイアウトの唯一の例示的実施形態である。別の実施形態では、レイアウトは、制御チャネル要素がフレーム内に分散された幾つかの副搬送波を含む論理レイアウトであるというように、考えることができる。
【００２２】
一実施形態では、複合制御チャネルを構成する制御チャネル要素のタイプの数を判定するステップは、アップリンク制御チャネル要素の数を判定するステップと、ダウンリンク制御チャネル要素の数を判定するステップとを含む。アップリンク制御チャネル要素の数は、フレーム内に埋込まれた第１ビットシーケンスに基づき判定でき、ダウンリンク制御チャネル要素の数は、フレーム内に埋込まれた第２ビットシーケンスに基づき判定できる。一実施形態では、アップリンクおよびダウンリンク制御チャネル要素の数は、第１および第２ビットシーケンスがフレーム内のどの場所に埋込まれているかに基づき、判定される。別の方法としては、互いに異なるビットシーケンスを用いて、制御チャネル要素の互いに異なる数を示すことができる。たとえば第１ビットシーケンスは、アップリンク要素の第１数を示し、第２ビットシーケンスは、アップリンク要素の第２数を示すことができる。
【００２３】
幾つかの実施形態では、複合制御チャネルは、第１中心周波数上にある第１受信帯域幅内の第１複合制御チャネル部と、第２中心周波数上にある第２受信帯域幅内の第２複合制御チャネル部とを含む。上記制御チャネル構造は、受信帯域幅が限られた遠隔ユーザを収容するために実施できる。より一般的には、複合制御チャネルは、対応する中心周波数上の複数の複合制御チャネル部に分割できる。たとえば搬送波帯域幅は２０ＭＨｚであるが、端末は、その受信機帯域幅を１０ＭＨｚに制限できる。制限された最小帯域幅機能を備えたそのような端末を収容するために、複合制御チャネルを、２０ＭＨｚの搬送波の下部の１０ＭＨｚサブバンドと、上部の１０ＭＨｚサブバンドとの両方にマッピングすることが、場合によっては必要になる。１０ＭＨｚ機能を備えた端末は、上部または下部サブバンドの一方を使用することによって、それぞれの複合制御チャネルを受信する。
【００２４】
図４のフローチャート４００のステップＳ４１０では、遠隔ユニット１０３，１１０や端末などの無線通信エンティティは、少なくとも２つの制御チャネル要素を含む複合制御チャネルを受信する。一実施形態では、それぞれ制御チャネル要素は、単一の無線通信エンティティにのみに宛てられた無線リソース割当情報のみを含む。
【００２５】
図４のステップＳ４２０では、ステップＳ４３０の復号の前に、２つ以上の制御チャネル要素が結合される。しかし、一般に、遠隔ユニット１０３，１１０は、最初に要素を結合せずに、単一の制御チャネル要素を復号しようと試みてもよい。また、結合された要素を復号後、または復号しようと試みた後で、単一の制御チャネル要素を復号しようと試みてもよい。結合が必要か否かは、一般に、遠隔ユニット１０３，１１０が、単一の制御チャネル要素を成功裏に復号しているか否かによって決まる。結合は、たとえば単一の制御チャネル要素の復号後の周期冗長検査（ＣＲＣ）、または他の情報確認検査が失敗した場合、または復号が成功しなかった場合に、必要になる。情報の確認は、通常、復号された制御チャネル要素内に含まれるか、または符号化された制御チャネル要素でマスキングされた、または周期冗長検査ＣＲＣのカラーコーディングのために周期冗長検査ＣＲＣ内にマスキングされたかまたは組込まれた、遠隔ユニット１０３，１１０固有の情報を含む。
【００２６】
幾つかの実施態様では、複数の制御チャネル要素のそれぞれは、制御チャネル要素を結合するための基礎として使用できる関連するルート指標を有する。たとえば複合制御チャネルが１２個の制御チャネル要素を含む場合、これらの要素のうちの４つは、互いに同じ関連するルート指標を有することができ、制御チャネル要素を復号し、結合し、復号する基礎として使用できる。上記のように、制御チャネルが対応する中心周波数上のそれぞれ部分に分割される実施形態では、遠隔ユニット１０３，１１０は、同じ制御チャネル部の制御チャネル要素だけを結合する。言い換えれば、互いに異なる制御チャネル部の制御チャネル要素は、結合されない。
【００２７】
幾つかの実施形態では、遠隔ユニット１０３，１１０は、複合制御チャネルの少なくとも２つの制御チャネル要素を結合し、それぞれ制御チャネル要素は、単一の無線通信エンティティにのみ宛てられた無線リソース割当情報のみを含むタイプである。結合は、たとえば単一の制御チャネル要素の復号後の周期冗長検査（ＣＲＣ）、または他の情報確認検査が失敗した場合、または復号が成功しなかった場合に、必要になる。しかし、一般に遠隔ユニット１０３，１１０は、最初の結合無しに、制御チャネル要素を復号しようと試みてもよい。
【００２８】
一実施形態では、第１符号語情報と第２符号語情報から導出されたソフト情報を集計することによって、少なくとも２つの制御チャネル要素が、結合される。ここで第１符号語情報は、第１制御チャネル要素内にある。第２符号語情報は、第２制御チャネル要素内にある。そのような結合では、結合された制御チャネル要素は、一時的に整列され重畳される（チェイス結合として公知である）。重畳は、最大比率結合を含むか、または対数尤度率（ＬＬＲ）を加えるなどできる。ここで第１符号語情報と第２符号語情報は、同じ遠隔ユニット１０３，１１０に宛てられたものとする。そうではない場合、復号または復号後の情報確認検査は、失敗する。失敗した場合、遠隔ユニット１０３，１１０は、たとえば異なる組の制御チャネル要素を結合し、または追加の要素を結合することによって、異なる組合せの制御チャネル要素を形成できる。
【００２９】
別の実施形態では、互いに異なる第１符号語情報と第２符号語情報から導出されたソフト情報を再配置し、集計することによって、少なくとも２つの制御チャネル要素が結合される。この場合、第１符号語情報は第１制御チャネル要素内にあり、第２符号語情報は第２制御チャネル要素内にある。たとえば第１符号語および第２符号語は、低速チャネルエンコーダから生成された情報セットのサブセットと、パリティビットとを含むことができる。サブセットは、重なっていないか、または部分的に重なっていてもよい。重なっている符号語ビット位置に対応するソフト情報は、通常、遠隔ユニット１０３，１１０内で集計されるが、重なっていないビット位置は、復号に備えて通常適当な位置に再配置される。
【００３０】
一実施形態では、遠隔ユニット１０３，１１０は、制御チャネル要素の所定組合せに従って、少なくとも２つの制御チャネル要素を結合する。たとえば所定組合せの少なくとも１つは、少なくとも２つの論理的に連続した制御チャネル要素の組合せを含む。論理的に連続した制御チャネル要素は、物理的に連続しているか否かを問わない。たとえば周波数にわたって分散された一組の副搬送波（くし形）が、１つの制御チャネル要素に使用される場合、別の制御チャネル要素は、第１制御チャネル要素に隣接した副搬送波を物理的に占有していてもよく、またはそうでなくてもよい。あるいは、副搬送波の論理的および物理的順序が同じ場合、すなわち論理的副搬送波と物理的副搬送波に１対１マッピングが成立する場合、論理的な隣接は物理的な隣接を意味し、その逆も同様である。別の実施形態では、少なくとも２つの互いに隣接していない制御チャネル要素は、結合される。この場合、隣接していない制御要素は、物理的または論理的であってもよい。
【００３１】
幾つかの実施態様では、所定組合せに従って遠隔ユニット１０３，１１０が、制御チャネル要素を結合しようとする順序は、１つまたは複数の仮説または仮定に基づく。たとえば制御チャネル要素は、複合制御チャネルを構成する制御チャネル要素の数の判定に基づき、結合できる。そのような判定ステップは、また、複合制御チャネルが上記の複数の要素タイプを含む実施形態では、特定のタイプの制御チャネル要素を構成する制御チャネル要素の数を判定するステップを含む。制御チャネル要素の数は、たとえば複合制御チャネル内に含まれる制御チャネル要素数情報の存在に基づき、判定できる。たとえば制御チャネル要素の数は、複合制御チャネルに追加されたビットシーケンスに基づき、判定できる。一実施態様では、異なるビットシーケンスが制御チャネル要素の異なる数を示す。別の実施態様では、フレーム内のビットシーケンスの場所が、制御チャネル要素の数を示す。後者の実施態様では、ビットシーケンスがフレーム内のどの場所にあるかに応じて、同じビットシーケンスを用いて、制御チャネル要素の異なる数を示すことができる。また、制御チャネル要素の数は、無線通信装置とネットワーク・インフラストラクチャ・エンティティの間で共用されるデータまたはメッセージに基づき、判定できる。これは、時折送信される同報チャネルを介して全部の遠隔ユニット１０３，１１０に送信されるメッセージ内、またはそれぞれ送信時間間隔ＴＴＩにおいて送信される同報メッセージ内で実行される。遠隔ユニット１０３，１１０は、復号すべき制御チャネル要素または制御チャネル要素のサブセットの数も、その遠隔ユニット１０３，１１０専用のメッセージを介して送信できる。
【００３２】
一実施形態では、制御チャネルは、そのサイズが制御要素のタイプを示す１つまたは２つの制御チャネル要素であってもよい。制御要素に対して畳込符号化を使用できる。デコーダは、第１制御要素を復号し、周期冗長検査ＣＲＣを検査し、制御要素がユーザに指定されると、復号を終了する。そうではない場合、復号は、第１制御要素上のテール・ビット挿入の直前の時点から開始して、両方の制御要素からなるトレリスの最後まで実行できる。再度、周期冗長検査ＣＲＣ検査が実行される。こうして、トレリスの最初から結合された制御要素を復号する場合と比較して、より少ない努力で、制御チャネルの復号を達成できる。この実施形態では、上記単一および２つの制御要素の符号化速度は、同じでなければならないことに留意されたい。
【００３３】
幾つかの実施形態では、それぞれフレームに無線リソースを割当てるために、複合制御チャネルの一部が割振られる。これらの実施形態では、制御チャネルの未割振部分は、データ転送に使用できる。それ故、無線通信ネットワーク・インフラストラクチャ・エンティティ、たとえばスケジューラは、対応するフレーム内にビットシーケンスを埋込むことによって、それぞれフレーム内に無線リソースを割当てるために、制御チャネルの一部を割振ることができる。一実施形態では、フレーム内のビットシーケンスの場所は、制御チャネルのサイズ、たとえば１つまたは複数の遠隔ユニット１０３，１１０に無線リソースを割当てるために、制御チャネル要素を幾つ割振るかを示す。この実施態様では、制御チャネル要素は、単一の遠隔ユニット１０３，１１０または複数の遠隔ユニット１０３，１１０にのみ宛てることができる。より一般的には、ネットワーク・インフラストラクチャ・エンティティは、フレームを送信する前にそれぞれフレーム内に埋込まれたビットシーケンスまたはロケーション・ビットシーケンスを変更することによってそれぞれフレーム内の無線リソースを割当てるために、制御チャネルの一部を動的に変更できる。更に、上記のように、ネットワーク・インフラストラクチャ・エンティティは、また、異なるタイプの制御チャネル要素と、その数を、フレーム内に動的に割当できる。
【００３４】
別の実施形態では、サブフレーム内に埋込まれたビットシーケンスを用いて制御チャネル要素が遠隔ユニット１０３，１１０に供されるということが識別される。この場合、サブフレーム内に埋込まれたビットシーケンスは、無線通信装置識別情報で処理されるＣＲＣ、無線通信装置識別情報でマスキングされる符号語などのデータ依存ビットシーケンスであってもよい。この実施形態では、送信時間間隔ＴＴＩの最後のサブフレームであってもよい第１サブフレームは、変調タイプ、リソース、またはアンテナモード指標を含む制御情報を含む。それぞれ制御チャネルは、１つまたは複数の制御チャネル要素であってもよく、制御チャネルのサイズは第１および第２サブフレームで異なっていてもよい。第２サブフレームは、第１サブフレームの制御情報と同じ制御チャネルの部分にあってもよく、または別の部分にあってもよい。サブフレームの別の部分を使用する場合、第２サブフレーム内の制御チャネル要素を第１サブフレームの遠隔ユニット１０３，１１０の制御チャネル要素の場所から認識することによって、ブラインド復号の複雑さを低減できる。
【００３５】
図５のフローチャート５００において、ステップＳ５１０で、無線通信ネットワーク・インフラストラクチャ・エンティティは、対応するフレーム内にビットシーケンスを埋込むことによって、それぞれフレーム内に無線リソースを割当てるために、制御チャネルの一部を割振る。制御チャネルの一部を割振るステップは、制御チャネルの全部の利用可能な部分、またはその全部の利用可能な部分よりも小さい部分を割振るステップを含む。この場合、未割振部分は、データ転送などの他の目的に使用できる。
【００３６】
ステップＳ５２０で、無線通信ネットワーク・インフラストラクチャ・エンティティは、無線フレームを構成する複数のフレームのそれぞれに無線リソースを割当てるために、制御チャネルの一部を動的に変更する。本開示のこの態様によれば、潜在的に、無線フレームを構成するそれぞれフレーム内のそれぞれ制御チャネルの異なる部分を、無線リソース割当のために割振ることができる。それぞれフレーム内に無線リソースを割当てるための制御チャネルの部分は、上記のように、それぞれフレーム内に埋込まれたビットシーケンスの場所を変更するか、または異なるビットシーケンスを用いて、動的に変更できる。
【００３７】
ステップＳ５３０で、無線通信ネットワーク・インフラストラクチャ・エンティティは、それぞれが無線リソース割当のためにその一部を割振られた制御チャネルを含む無線フレームなどの、少なくとも２つのフレームを送信する。
【００３８】
たとえば図２で、終了マーカまたは署名と呼ばれるビットシーケンス２２０が、対応するフレーム内のどの場所に埋込まれているかに基づき、無線リソース割当に使用する制御チャネルの部分は示される。ビットシーケンスの場所に応じて、無線リソース割当に使用される制御チャネルの一部、たとえば要素の数は、フレームの制御チャネル全体よりも小さくてもよい。
【００３９】
以上、本発明の開示とその最良の形態を、これらを入手し当業者が実施および活用できるように説明してきたが、本明細書に開示する例示的実施形態には等価物があり、例示的実施形態ではなく添付の特許請求の範囲によって制限される本発明の範囲と精神から逸脱することなしに本発明の開示を修正および変更できることを理解されたい。
【図１】
0005477403.tif 000002
【図２】
0005477403.tif 000003
【図３】
0005477403.tif 000004
【図４】
0005477403.tif 000005
【図５】
0005477403.tif 000006